(57)【特許請求の範囲】
【請求項１】
複数本の中空糸で構成された中空糸膜と、該中空糸膜の両端に設けられた集水管とを有する中空糸膜モジュールが複数個配置され、これらの集水管の両端部が集水ヘッダーに連設されるとともに、集水ヘッダーに両端部が固定された支柱と集水ヘッダーの両端部に設けられた遮蔽板とにより一体化された直方体状の中空糸膜モジュールユニットであって、前記遮蔽板が、前記中空糸膜に平行に中空糸膜モジュールユニットの両側面に設けられた板状のものであり、前記中空糸内に入った濾液が、集水管内に形成された内部路を通過して集水ヘッダーに集水するようにされた中空糸膜モジュールユニットを内部に設置してなる浄化槽であって、
上記中空糸膜モジュールユニットをこの中空糸膜モジュールの集水管および中空糸膜の膜面が水面に対して鉛直方向となるように浄化槽内部に配置し、
上記配置された中空糸膜モジュールユニットの大きさが、
（Ａ）中空糸膜モジュールの積層方向に沿ったユニットの長さが２０〜５００ｍｍ、
（Ｂ）中空糸膜モジュールの中空糸の長さ方向に沿ったユニットの長さが１００〜５００ｍｍ、
（Ｃ）中空糸膜モジュールの集水管の長さ方向に沿ったユニットの高さが１００〜１５００ｍｍ、
であることを特徴とする浄化槽。
【請求項２】
複数本の中空糸で構成された中空糸膜と、該中空糸膜の両端に設けられた集水管とを有する中空糸膜モジュールが複数個配置され、これらの集水管の両端部が集水ヘッダーに連設されるとともに、集水ヘッダーに両端部が固定された支柱と集水ヘッダーの両端部に設けられた遮蔽板とにより一体化された直方体状の中空糸膜モジュールユニットであって、前記遮蔽板が、前記中空糸膜に平行に中空糸膜モジュールユニットの両側面に設けられた板状のものであり、前記中空糸内に入った濾液が、集水管内に形成された内部路を通過して集水ヘッダーに集水するようにされた中空糸膜モジュールユニットを内部に設置してなる浄化槽であって、
上記中空糸膜モジュールユニットをこの中空糸膜モジュールの集水管が水平方向におよびその中空糸の膜面が水面に対して鉛直方向となるように浄化槽内部に配置し、
上記配置された中空糸膜モジュールユニットの大きさが、
（Ａ）中空糸膜モジュールの積層方向に沿ったユニットの長さが２０〜５００ｍｍ、
（Ｂ）中空糸膜モジュールの集水管の長さ方向に沿ったユニットの長さが１００〜５００ｍｍ、
（Ｃ）中空糸膜モジュールの中空糸の長さ方向に沿ったユニットの長さが１００〜１５００ｍｍ、
であることを特徴とする浄化槽。
【請求項３】
内部に配置される中空糸膜モジュールユニットが編み織物からなる中空糸膜によってなるものであることを特徴とする請求項１または２記載の浄化槽。
【請求項４】
内部に配置される中空糸膜モジュールユニットに散気管が固定され一体化していることを特徴とする請求項１、２または３のいずれか記載の浄化槽。
【発明の詳細な説明】
【０００１】
【発明の属する技術分野】
本発明は、廃水処理の固液分離等に用いる中空糸膜モジュールユニットを内部に配設した浄化槽に関する。
【０００２】
【従来の技術】
近年、浄化槽において、装置が安価に設置でき、施工期間を短くすることができることからＦＲＰ製の浄化槽が普及してきている。
図１は、このＦＲＰ製の浄化槽の一例を示したもので、図中符号１は浄化槽を示す。この浄化槽１はＦＲＰからなる円筒状のものであり、その内部には、有効水深１．６ｍ以上の被処理水が満たされるようになっている。この浄化槽１は、地中に埋められるが、その地上側の側面には、円筒状のマンホール２が設けられ、その先端は開口され、この開口部分が地上に設けられて外部と連絡している。このマンホール２の外径は、最小のもので６００ｍｍ程度である。
【０００３】
一方、無菌水、飲料水、高度純水の製造、空気の浄化等に数多く使用されてきた中空糸膜モジュールが、これらの用途に加えて、近年では、下水処理場における二次処理、三次処理や、浄化槽における固液分離、産業廃水中の浮遊懸濁物質の固液分離、浄水場における河川水の直接濾過、工業用水道水の濾過、プール水の濾過等の高汚濁性水の処理用途が様々な形で検討されている。
高汚濁性水の処理用途に用いられる中空糸膜モジュールとしては、特開平５−２６１２５３号公報、特開平６−３４０号公報、特開平６−３４２号公報等に示される中空糸膜モジュールまたは該中空糸膜モジュールを積層させてなる中空糸膜モジュールユニットが示されている。
【０００４】
図４は従来の中空糸膜モジュールの一例を示したもので、この中空糸膜モジュール１０は、複数の中空糸３１、３１…が平行に配されて構成される中空糸膜３０と、中空糸膜３０の両端に設けられた２つの対向する集水管２０によって概略構成されたものである。
【０００５】
上記集水管２０は内部に内部路の形成された筒状のもので、その一端は閉止され、他端には図示されない吸引ポンプに接続される配管２２が設けられている。さらに、この集水管２０の側壁には、その長さ方向に沿った開口部２１が形成されている。この開口部２１には、中空糸膜３０の端部が挿入されつつ、充填される固定部材で閉塞され、中空糸膜３０は強固に支持固定される。すなわち、中空糸膜モジュール１０としては、中空糸膜３０の両端部が２本の集水管２０によってそれぞれ支持される。この場合、中空糸膜３０の端部とは、中空糸３１の繊維方向両端部であり、各中空糸３１、３１…の両端部は、集水管２０の内部路内に開口して位置するようになる。
【０００６】
上述の中空糸膜モジュール１０を用いて、吸引濾過を行う場合には、被処理液を満たした被処理液槽内に前記中空糸膜モジュール１０を配置し、その配管２２を吸引ポンプに接続する。
そして、この吸引ポンプを稼動させると中空糸３１、３１…内が負圧になり、被処理液槽に満たされた被処理液は、中空糸３１、３１…内に吸引され、そこを通過するとともに濾過され、その濾液はこの中空糸３１、３１…を通って集水管２０の内部路に入り、さらに配管２２を通って吸引ポンプにより吸引され排出される。
【０００７】
このような構成の中空糸膜モジュール１０は、被処理水槽内に複数個配置して中空糸膜モジュールユニットとすることができる。図５は、中空糸膜モジュール１０を複数個配置した中空糸膜モジュールユニットの一例を示すもので、複数の中空糸膜モジュール１０の中空糸膜３０の膜面が平行に対向するように配置されたものである。このように中空糸膜モジュール１０を複数個配置することによって、全体としての膜面積を増加させることができ、処理能力を向上させることができる。
【０００８】
中空糸膜モジュール１０においては、中空糸３１、３１…が集水管２０によって、固定支持されて中空糸膜３０とされるので、中空糸３１、３１…が直接被処理液に接する面積が大きくなっているので、固着一体化することが少なく、またエアースクラビング法等による洗浄も水や空気が膜面に沿って容易に移動することができるので、濾過処理能力に優れたものとなる。
【０００９】
【発明が解決しようとする課題】
上述のＦＲＰ製浄化槽の普及にともない、このような優れた濾過処理能力をもつ中空糸膜モジュールユニットを、ＦＲＰ製の浄化槽の膜処理濾過装置として用いれば非常に有益であると考えられるが、上述のＦＲＰ製の浄化槽においては、マンホールからのみ濾過処理装置の設置作業を行うこととなるため、上記中空糸膜モジュールユニットを用いて排水の浄化処理を行う場合には、その設置にともない、中空糸膜モジュールユニットの大きさの制限を受けることとなる。また、大きさの制限を受けても、最低でも５人槽（１ｍ3／ｄａｙ）程度の濾過処理ができる濾過処理装置でなければならず、従来の中空糸膜モジュールユニットを設置するには不都合があった。
よって本発明の課題は、濾過処理装置として高い集積率を持つ中空糸膜モジュールユニットを用いたＦＲＰ製の浄化槽を提供することである。
【００１０】
【課題を解決するための手段】
かかる課題を解決するために請求項１記載の浄化槽においては、複数本の中空糸で構成された中空糸膜と、該中空糸膜の両端に設けられた集水管とを有する中空糸膜モジュールが複数個配置され、これらの集水管の両端部が集水ヘッダーに連設されるとともに、集水ヘッダーに両端部が固定された支柱と集水ヘッダーの両端部に設けられた遮蔽板とにより一体化された直方体状の中空糸膜モジュールユニットであって、前記遮蔽板が、前記中空糸膜に平行に中空糸膜モジュールユニットの両側面に設けられた板状のものであり、前記中空糸内に入った濾液が、集水管内に形成された内部路を通過して集水ヘッダーに集水するようにされた中空糸膜モジュールユニットであって、下記に示す大きさに構成された中空糸膜モジュールユニットが、この中空糸膜モジュールの集水管および中空糸膜の膜面が鉛直方向となるようにその内部に配置される。
（Ａ）中空糸膜モジュールの積層方向に沿ったユニットの長さが２０〜５００ｍｍ、
（Ｂ）中空糸膜モジュールの中空糸の長さ方向に沿ったユニットの長さが１００〜５００ｍｍ、
（Ｃ）中空糸膜モジュールの集水管の長さ方向に沿ったユニットの高さが１００〜１５００ｍｍ。
【００１１】
そして、請求項２記載の浄化槽においては、複数本の中空糸で構成された中空糸膜と、該中空糸膜の両端に設けられた集水管とを有する中空糸膜モジュールが複数個配置され、これらの集水管の両端部が集水ヘッダーに連設されるとともに、集水ヘッダーに両端部が固定された支柱と集水ヘッダーの両端部に設けられた遮蔽板とにより一体化された直方体状の中空糸膜モジュールユニットであって、前記遮蔽板が、前記中空糸膜に平行に中空糸膜モジュールユニットの両側面に設けられた板状のものであり、前記中空糸内に入った濾液が、集水管内に形成された内部路を通過して集水ヘッダーに集水するようにされた中空糸膜モジュールユニットであって、下記に示す大きさに構成された中空糸膜モジュールユニットを、この中空糸膜モジュールがその集水管が水平方向に沿うように、およびその中空糸の膜面が鉛直方向にユニット内部に配置される。
（Ａ）中空糸膜モジュールの積層方向に沿ったユニットの長さが２０〜５００ｍｍ、
（Ｂ）中空糸膜モジュールの集水管の長さ方向に沿ったユニットの長さが１００〜５００ｍｍ、
（Ｃ）中空糸膜モジュールの中空糸の長さ方向に沿ったユニットの長さが１００〜１５００ｍｍ。
【００１２】
また、上記請求項１または２記載の浄化槽に用いられる中空糸膜モジュールユニットにおいては、その中空糸膜が編み織物であることが望ましく、中空糸膜モジュールユニットに散気管が固定され一体化されていることが望ましい。
【００１３】
【発明の実施の形態】
以下、本発明について詳細に説明する。
図１は本発明の浄化槽の一例の概略構成図である。この浄化槽１は、小型合併浄化槽であり、本体はＦＲＰ製のタンクで、その内部には水深１．６ｍ以上の被処理水が貯留されるようになっている。通常、浄化槽１本体は地中に埋められるため、外部の連絡路として円筒状のマンホール２が設けられる。また、その内部には、膜分離装置として中空糸膜モジュールユニット５１が、マンホール２の下方に設置される。このとき、中空糸膜モジュールユニット５１は、図示のように一段に設置しても良いし、縦に複数個積み重ねて設置することもできる。
【００１４】
この浄化槽１に中空糸膜モジュールユニット５１を設置する場合、また浄化槽１の設置後は、上記マンホール２を介してしかその内部の装置のメンテナンスを行うことができない。そのため、内部に設置される中空糸膜モジュールユニット５１は、その処理量、設置スペースに合わせて、その大きさが調節される。
一般に、マンホールの最小のものは、その外径が６００ｍｍである。よって、中空糸膜モジュールユニット５１の大きさは、少なくとも外径６００ｍｍのマンホール２に挿入できるだけのものでなければならない。本発明の中空糸膜モジュールユニットは、最低外径６００ｍｍのマンホール２から設置可能な大きさに構成されている。
【００１５】
図２は、請求項１記載の浄化槽の内部に設置される中空糸膜モジュールユニットの一例を示すものである。この中空糸膜モジュールユニット５１には、中空糸膜モジュール１１、１１…が複数個配置され、これらの中空糸膜モジュール１１、１１…の集水管２３、２３…および中空糸膜３２、３２…の膜面が鉛直方向に沿うように浄化槽内部に設置されるもので、集水ヘッダー４１、支柱４３、遮蔽板４４により保持され、一体化された直方体状のものである。
【００１６】
この直方体状の空糸膜モジュールユニット５１は、（Ａ）中空糸膜モジュール１１の積層方向に沿ったユニットの長さが２０〜５００ｍｍ、（Ｂ）中空糸膜モジュール１１の中空糸３２の長さ方向に沿ったユニットの長さが１００〜５００ｍｍ、（Ｃ）中空糸膜モジュール１１の集水管２３の長さ方向に沿ったユニットの高さが１００〜１５００ｍｍとなるように構成されている。
【００１７】
このとき、ユニットの長さ（Ａ）は、集水管２３の外径、それらの配置間隔、支柱４３の外径、支柱４３と集水管２３との間隔、集水ヘッダー４２の長さおよび遮蔽板の厚さによって定められる。また、ユニットの長さ（Ｂ）は、中空糸膜モジュールユニット５１の対向する集水管２３の間隔、つまり中空糸膜の長さにより定められる。また、ユニットの高さ（Ｃ）は、集水管２３および支柱４３の長さ、集水ヘッダー４１の外径によって定められる。中空糸膜モジュールユニット５１の大きさは、これらの関連するものの大きさを適宜調節して定められる。
【００１８】
中空糸膜モジュールユニット５１に用いられる中空糸膜モジュール１１としては、図４に示されたものと同様の構成を有するものが好適に用いられる。
中空糸膜モジュール１１は、複数本の中空糸で構成された中空糸膜３２と、該中空糸膜３２の両端に設けられた集水管２３とを有して概略構成される。
中空糸には、種々のものが使用でき、例えば、セルロース系、ポリオレフィン系、ポリビニルアルコール系、ポリメチルメタクリレート系、ポリスルフォン系等の各種材料からなるものが使用できる。中でも、ポリエチレンやポリプロピレン等の強伸度の高い材質のものが好適に用いられる。
【００１９】
また、特に限定されるものではないが、中空糸の外径は２０〜２０００μｍ、孔径は０．０１〜１μｍ、空径率は２０〜９０％、中空糸膜３２の膜圧は５〜３００μｍのものが好ましい。
また、中空糸膜３２の形状としては、中空糸膜３２同士が固着一体化することなく、集水管２３への固定が容易であれば特に制限はないが、中でも中空糸を緯糸とした編織物が、集水管２３への固定が容易で、任意の膜面積を容易に効率よく構成することができるので、好適に用いられる。
【００２０】
集水管２３は、内部に内部路の形成された筒状のもので、少なくともその一端には配管が設けられ、集水ヘッダー４２に連通されている。なお、この図に示した集水管２３は円筒状のものであるが、これに限られるものではなく、例えば、外形が四角柱のものであってもよい。
さらに、この集水管２３の側壁には長さ方向に沿った開口部２４が形成されている。この開口部２４には、中空糸膜３２の端部が挿入されつつ、充填される固定部材で閉塞され、中空糸膜３２は強固に支持固定される。すなわち、中空糸膜モジュール１１としては、中空糸膜３２の両端部が２本の集水管２３によってそれぞれ支持される。この場合、中空糸膜３２の端部とは中空糸の繊維方向両端部であり、各中空糸の両端部は集水管２３の内部路内に位置するようになる。
【００２１】
この集水管２３の材質としては、機械的強度および耐久性を有するものであればよく、例えば、ポリカーボネイト、ポリスルフォン、ポリオレフィン、ポリ塩化ビニル、アクリル樹脂、ＡＢＳ樹脂、変性ＰＰＥ樹脂等が挙げられるが、使用後に焼却により有毒ガスを出さずに完全燃焼させることのできる炭化水素系の樹脂を用いることが望ましい。
【００２２】
この集水管２３の大きさに関しては、この長さは、中空糸膜モジュールユニット５１のユニットの高さ（Ｃ）に関係し、その外径は中空糸膜モジュールユニット５１のユニットの長さ（Ａ）に関係する。よって、中空糸膜モジュールユニット５１の大きさにより適切な大きさのものが選ばる。このとき、集積率を高くするために要求される強度を持ち、集水管２３の内部路を流れる流体への抵抗が少なく、加工に支障の無い範囲の外径５〜３０ｍｍのものが好適に用いられる。また、その肉厚についても、上記条件を満たしていれば特に制限はない。
【００２３】
上述の集水管２３の開口部２４の幅は３０ｍｍ以下が好ましく、１０ｍｍ以下であるとより好ましい。開口部２４の幅を狭くすることによって、中空糸膜３２を構成する各中空糸を整然と一列に引き揃え易くなるからである。中空糸が揃わず中空糸膜が乱れて形成されると、汚泥等の付着により複数の中空糸が束になって固着一体化し、分離膜としての表面積を有効に活用できず、分離能が低下してしまう。
【００２４】
上記開口部２４に充填される固定部材は、中空糸膜３２の各中空糸をその端部の開口状態を保ったまま、集束して開口部２４に固定するとともに、集水管２３の内部路を外部から液密に仕切るもので、エポキシ樹脂、不飽和ポリエステル樹脂、ポリウレタン等を液状にしたものを開口部２４に充填し、硬化させることによって形成される。
また、１つの開口部２４に対して２列以上の中空糸膜を挿入、固定すれば、または１つの集水管２３に対して２つ以上の開口部を形成し、それぞれに中空糸膜を挿入固定すれば、１つの中空糸膜モジュール１１あたり複数の中空糸膜３２を形成することが可能となる。しかし、洗浄効果を考えると、中空糸膜は２枚程度が適当である。
【００２５】
本発明の中空糸膜モジュールユニット５１は、上述の中空糸膜モジュール１１、１１…を平行に、また集水管２３と中空糸膜３２の膜面が浄化槽の水面に対して鉛直方向となるように複数個配置し、両側の集水管２３、２３…の両端部が、集水ヘッダー４１に連設されている。このとき、集水管２３、２３…の各配管が集水ヘッダー４１内部に連通している。
【００２６】
これら中空糸膜モジュール１１、１１…の配置数は、その中空糸膜モジュールユニット５１に求められる集積率によって定められる。例えば、５人槽の浄化槽の濾過処理を行う場合の標準的な排水量は、１ｍ3／ｄａｙである。この濾過処理を行う場合に要求される中空糸膜の膜面積は、使用する中空糸膜の濾過処理能力を０．２ｍ／ｄａｙ（ｍ3／ｍ2／ｄａｙ）とした場合、５ｍ3である。よって、中空糸膜モジュールユニット５１に５ｍ3の膜面積の中空糸膜３２を集積化するように中空糸膜モジュール１１を複数個配置する。
【００２７】
上記集水ヘッダー４１は、中空糸膜モジュール１１、１１…の集水管２３の配管に連通されるための複数の連設孔を有し、内部に濾液を通す通路を有する筒状のもので、その連設孔において複数個の中空糸膜モジュール１１、１１…に連接するとともに、それらを固定一体化している。また、連設部の逆面の中央部には外部の吸水ポンプと接続する吸引口４２が設けられている。この吸引口４２は、少なくとも集水管２３の配管が連設している集水ヘッダー４１に設けられる。
この形状としては、中空糸膜モジュール１１を複数個まとめて固定するマニホールドタイプ等のものが挙げられるが、各中空糸膜モジュール１１、１１…から濾液が取り出せる構造であれば、特に限定されない。
【００２８】
また、上記集水ヘッダー４１の各両端つまり、中空糸膜モジュールユニット５１の四隅には支柱４３が配設され、集水ヘッダー２３を固定するとともに、中空糸膜モジュールユニット５１を支持している。この支柱４３を設けることにより中空糸膜モジュールユニット５１は十分な強度を保持することができる。
また、上記支柱４３が設けられた中空糸膜モジュールユニット５１の両側面には中空糸膜３２に平行に板状の遮蔽板４４が設けられている。
【００２９】
この遮蔽板４４は、中空糸膜モジュールユニット５１にエアースクラビング洗浄を行う場合に、エアーが中空糸膜モジュールユニット５１外に広がらず、その内の中空糸膜３２に効率よく十分に当たり、洗浄がスムーズに進むように設けられたものである。この遮へい板４４を用いることにより、中空糸膜３２の集積率を上げることができ、中空糸膜モジュールユニット５１の小型化に対応できる。
【００３０】
中空糸膜モジュール５１により濾過処理を行う場合、中空糸膜３２に付着した汚泥を除去して濾過処理率を高めるように、エアースクラビングによる洗浄が行われている。従来この洗浄は、浄化槽の下方に設けられた散気装置によって気泡が発散され、この気泡の上昇により中空糸膜が揺動し、この揺動によって中空糸同しが擦れ合ったりまたは中空糸と水の相対的流動により中空糸膜の表面に付着した汚泥が取り除かれるようになっている。この場合、散気装置に中空糸膜モジュールを取り付ける場合には、作業現場において位置合わせが行われていた。
本発明においては、この手間を省くため、この散気管を予め中空糸膜モジュールユニット５１の下方に配設することが望ましい。このようにすると、中空糸膜モジュールユニット５１をマンホールから容易に設置することができる。
【００３１】
また、この中空糸膜モジュールユニット５１の使用にあっては、上述のように浄化槽１に設置した中空糸膜モジュールユニット５１を集水ヘッダー４１の吸引口４２により外部に設けられた吸引ポンプに接続し、この吸引ポンプを作動させることにより、吸引濾過が行われる。このとき被処理水は、中空糸膜ユニット５１の中空糸膜３２によって濾過され、その濾液が集水管２３の配管を通って、集水ヘッダー４１に集水し吸引口４２を通って、浄化槽１の外部に排出される。
【００３２】
また、浄化槽１内部の中空糸膜モジュールユニット５１の濾過処理率を低下させないために、中空糸膜モジュールユニット５１の中空糸膜３２に付着した汚泥を落とすエアースクラビング洗浄を同時に行う。本発明においては、中空糸膜３２が水面に対して鉛直方向に配置され、その両側には遮蔽板４４が設けられているので、ユニット内に気泡が中空糸膜３２の膜間を効率よく上昇するので、中空糸膜３２の洗浄が容易にでき、中空糸膜モジュールユニット５１の濾過処理率が低下しにくく、長期にわたって良好な濾過処理を行うことができる。
【００３３】
図３は、請求項２記載の浄化槽の内部に設置される中空糸膜モジュールユニットの一例を示すものである。この中空糸膜モジュールユニット５２は、中空糸膜モジュール１２、１２…複数個配置し、これらの中空糸膜モジュール１２、１２…の集水管２５が水平方向となるように、また中空糸膜３３、３３…の膜面が水面に対して鉛直方向に沿うように浄化槽内部に設置されるもので、集水ヘッダー４５、支柱４７、遮蔽板４８により保持され、一体化された直方体状のものである。その構造部材は、図１に示す中空糸膜モジュールユニット５１と同様のものが用いられる。
【００３４】
この直方体状の中空糸膜モジュールユニット５２は、その大きさが（Ａ）中空糸膜モジュール１２の積層方向に沿ったユニットの長さが２０〜５００ｍｍ、（Ｂ）中空糸膜モジュール１２の集水管２５の長さ方向に沿ったユニットの長さが１００〜５００ｍｍ、（Ｃ）中空糸膜モジュール１２の中空糸３３の長さ方向に沿ったユニットの長さが１００〜１５００ｍｍとなるように構成されている。
【００３５】
このとき、ユニットの長さ（Ａ）は、集水管１２の外径、それらの配置間隔、集水ヘッダー４５の長さおよび遮蔽板４８の厚さによって定められる。また、ユニットの長さ（Ｂ）は、集水管２５および支柱４３の長さ、集水ヘッダー４５の外径によって定められる。また、ユニットの高さ（Ｃ）は、集水管２５の外径、中空糸膜モジュールユニット５２の対向する集水管２５の距離、つまり中空糸膜３３の長さ、支柱４７の長さによって定められる。中空糸膜モジュールユニット５２の大きさは、これらの関連するものの大きさを適宜調節して定められる。
【００３６】
上記中空糸膜モジュールユニット５２においては、集水ヘッダー４５の吸引口４６が、中空糸膜モジュールユニット５２を浄化槽に設置した際に、その開口部が上方となるように、集水ヘッダー５２に設けられる。
この集水ヘッダー４５としては、中空糸膜モジュールユニット５１と同様に、図３にはマニホールドタイプのものを例示しているが、各中空糸膜モジュール１２、１２・・・から濾液が取り出せる構造のものであれば、特に限定されない。
【００３７】
また、支柱４７は、上記集水ヘッダー４５の各両端つまり、中空糸膜モジュールユニット５２の四隅に配設され、集水ヘッダー４５を固定するとともに、中空糸膜モジュールユニット５２を支持している。この支柱４７を設けることにより中空糸膜モジュールユニット５２は十分な強度を保持することができる。
また、遮蔽板４８は、中空糸膜モジュールユニット５２の両側面に設けられ、エアースクラビング洗浄を行う場合に、エアーが中空糸膜モジュールユニット５２外に広がらず、その内の中空糸膜３３に効率よく、十分に当たり、洗浄がスムーズに進むように設けられたものである。この遮蔽板４８を用いることにより、中空糸膜３３の集積率を上げることができ、中空糸膜モジュールユニット５２の小型化に対応できる。
【００３８】
上記中空糸膜モジュールユニット５２の浄化槽内部への設置方法および使用方法は、設置方向が異なる以外は、上述の中間糸膜モジュールユニット５１と同様の方法が用いられ、同様の効果が得られるものである。
【００３９】
【実施例】
以下、本発明を実施例を示して詳しく説明する。
図２に示す中空糸膜モジュールユニット５１を製造し、この中空糸膜モジュールユニット５１をＦＲＰ製の浄化槽の設置して濾過試験を行った。
中空糸膜モジュールユニット５１に用いられる中空糸膜モジュール１１としては、三菱レイヨン（株）製ポリエチレン中空糸膜（分画性能０．１μｍ、外径４１０μｍ）を用い、これを５個用いて、中空糸膜モジュールユニット５１内に平行に配置し、集水管４１によって固定して、中空糸膜モジュールユニット５１を製造した。
【００４０】
このときの中空糸膜モジュールユニット５１の大きさを、ユニット幅（Ａ）を１４２ｍｍ、ユニットの長さ（Ｂ）を４００ｍｍ、ユニットの高さ（Ｃ）を９１６ｍｍとなるように製造した。また、中空糸膜３２の膜面積を５ｍ3とした。
この中空糸膜モジュールユニット５１をＦＲＰ製の浄化槽１のマンホール２の下方に、その中空糸膜モジュールユニット５１の各集水管２３が水面に対して鉛直方向となるように設置した。
【００４１】
次に、上記浄化槽内にＳＳ＝１００００ｍｇ／Ｌの活性汚泥水を満たし、中空糸膜モジュールユニット５１を浸漬させ、ＬＶ＝０．０２ｍ／ｈ、エアー量１５ｍ3／ｈにおいて、エアースクラビング洗浄を行いながら中空糸膜モジュールユニット５１の濾過運転を行った。
この結果、実験開始時における初期差圧が１０ＫＰａであったものが、６カ月経過後も差圧１５ＫＰａと、大きな差圧上昇はみられなかった。
よって、本発明の浄化槽においては、長期にわたって良好な濾過処理が行えるということがわかった。
【００４２】
【発明の効果】
以上説明したように、本発明の浄化槽においては、上述の中空糸膜モジュールユニットを設置し、その中空糸膜モジュールユニットがマンホールから出し入れ可能な程度の大きさに設計されている上に、高い集積率を持つものであるので、高い濾過処理能力を有する浄化槽として排水処理装置として好適に使用することができる。特に、ＦＲＰ製の小型浄化槽や処理装置において中空糸膜モジュールユニットのメンテナンスや取付をマンホールを介して行うことが可能であり、高汚濁水の濾過処理に好適に用いることができる。
【図面の簡単な説明】
【図１】本発明の中空糸膜モジュールユニットの浄化槽内での設置方法を示す概略構成図である。
【図２】本発明の中空糸膜モジュールユニットの一例を示す斜視図である。
【図３】本発明の中空糸膜モジュールユニットの一例を示す斜視図である。
【図４】中空糸膜モジュールの一例を示す斜視図である。
【図５】中空糸膜モジュールを複数個配置したときの配置の一例を示す斜視図である。
【符号の説明】
１…浄化槽、２…マンホール
５１、５２…中空糸膜モジュールユニット
１１、１２…中空糸膜モジュール
２３、２５…集水管
３２、３３…中空糸膜
４１、４５…集水ヘッダー
４２、４６…吸引口
４３、４７…支柱
４４、４８…遮蔽板
（Ａ）…ユニットの幅
（Ｂ）…ユニットの長さ
（Ｃ）…ユニットの高さ
【図１】
0004217281.tif 000002
【図２】
0004217281.tif 000003
【図３】
0004217281.tif 000004
【図４】
0004217281.tif 000005
【図５】
0004217281.tif 000006